(57)【要約】【課題】面発光光源と、当該面発光光源を保持する保持部材と、を備えた車両用灯具において、別のランプ機能を実現するための光を出射する構成を別途追加することなく、複数のランプ機能を実現する。【解決手段】発光面２２ａを含む前面とその反対側の後面２２ｂとを含む面発光光源２０と、入光面３２と、前記入光面３２から入光した光が出光する出光面３５ａ〜３５ｃと、前記入光面３２から入光した光を前記出光面３５ａ、３５ｂ、３５ｃまで導光する導光部３１、３３、３４ａ〜３４ｃ、３６ａ〜３６ｃと、前記面発光光源を保持する保持部と、を含む透明部材３０と、前記入光面３２から入光し、前記導光部３１、３３、３４ａ〜３４ｃ、３６ａ〜３６ｃによって前記出光面３５ａ〜３５ｃまで導光され、前記出光面３５ａ〜３５ｃから出光する光を発光する光源４０と、を備えた車両用灯具１０であることを特徴とする。【選択図】  図２
2018106834.tif 000002
【特許請求の範囲】
【請求項１】
発光面を含む前面とその反対側の後面とを含む面発光光源と、
入光面と、前記入光面から入光した光が出光する出光面と、前記入光面から入光した光を前記出光面まで導光する導光部と、前記面発光光源を保持する保持部と、を含む透明部材と、
前記入光面から入光し、前記導光部によって前記出光面まで導光され、前記出光面から出光する光を発光する光源と、を備えた車両用灯具。
【請求項２】
前記透明部材は、前面とその反対側の後面とを含む透明板を含み、
前記面発光光源は、前記透明部材の前方に前記面発光光源の前記後面と前記透明板の前記前面とが対向した状態で配置され、
前記透明板の前記前面には、前記前面から前方に向かって延び、かつ、先端部に前記出光面が設けられた第１延長部が設けられた請求項１に記載の車両用灯具。
【請求項３】
前記透明板の前記前面には、さらに、前記前面から前方に向かって延び、かつ、先端部が前記面発光光源の前記後面に当接した第２延長部が設けられる請求項２に記載の車両用灯具。
【請求項４】
前記面発光光源は、前記面発光光源の端部の少なくとも一部が前記第１延長部に当接し、かつ、前記面発光光源の前記後面が前記第２延長部の先端部に当接した状態で保持される請求項３に記載の車両用灯具。
【請求項５】
前記透明板の前記前面及び前記後面のうち一方には、前記入光面が設けられ、他方には、前記入光面から入光した前記光源からの光を前記透明板の縁部に向けて内面反射する第１反射面が設けられ、
前記透明板の縁部には、前記第１反射面からの反射光を前記出光面に向けて内面反射する第２反射面が設けられ、
前記第１反射面、前記透明板、前記第２反射面、及び、前記第１延長部が、前記導光部として機能する請求項２から４のいずれか１項に記載の車両用灯具。
【請求項６】
前記面発光光源は、屈曲した状態で保持される請求項１から５のいずれか１項に記載の車両用灯具。
【請求項７】
前記面発光光源は、可撓性を備える請求項１から６のいずれか１項に記載の車両用灯具。
【請求項８】
前記面発光光源は、不透明である請求項１から７のいずれか１項に記載の車両用灯具。
【請求項９】
前記出光面は、前記面発光光源の外形の少なくとも一部に沿って配置される請求項１から８のいずれか１項に記載の車両用灯具。
【請求項１０】
前記面発光光源の前記発光面を覆った状態で前記透明部材に保持される付加透明部材をさらに備える請求項１から９のいずれか１項に記載の車両用灯具。
【発明の詳細な説明】
【技術分野】
【０００１】
本発明は、車両用灯具に関し、特に、面発光光源（例えば、有機ＥＬパネル）と、当該面発光光源を保持する保持部材と、を備えた車両用灯具に関する。
【背景技術】
【０００２】
従来、有機ＥＬパネルと、当該有機ＥＬパネルを保持する保持部材と、を備えた車両用灯具が提案されている（例えば、特許文献１（図５、図７等）参照）。
【先行技術文献】
【特許文献】
【０００３】
【特許文献１】特開２０１５−１７０８０６号公報
【発明の概要】
【発明が解決しようとする課題】
【０００４】
しかしながら、特許文献１に記載の車両用灯具においては、単一のランプ（例えば、テールランプ）機能を実現することができるものの、別のランプ（例えば、ストップランプ）機能を実現するには、当該別のランプ機能を実現するための光を出射する構成を別途追加しなければならないという課題がある。
【０００５】
本発明は、上記事情に鑑みてなされたものであり、面発光光源（例えば、有機ＥＬパネル）と、当該面発光光源を保持する保持部材と、を備えた車両用灯具において、別のランプ機能を実現するための光を出射する構成を別途追加することなく、複数のランプ機能を実現することを目的とする。
【課題を解決するための手段】
【０００６】
上記目的を達成するために、本発明の一つの側面は、発光面を含む前面とその反対側の後面とを含む面発光光源と、入光面と、前記入光面から入光した光が出光する出光面と、前記入光面から入光した光を前記出光面まで導光する導光部と、前記面発光光源を保持する保持部と、を含む透明部材と、前記入光面から入光し、前記導光部によって前記出光面まで導光され、前記出光面から出光する光を発光する光源と、を備えた車両用灯具であることを特徴とする。
【０００７】
この側面によれば、面発光光源（例えば、有機ＥＬパネル）と、当該面発光光源を保持する保持部材と、を備えた車両用灯具において、別のランプ機能を実現するための光を出射する構成を別途追加することなく、複数のランプ機能を実現することができる。
【０００８】
これは、透明部材が、面発光光源を保持する保持部と、別のランプ機能を実現するための構成（主に、出光面）と、を兼ね備えていることによるものである。
【０００９】
また、上記発明において、好ましい態様は、前記透明部材は、前面とその反対側の後面とを含む透明板を含み、前記面発光光源は、前記透明部材の前方に前記面発光光源の前記後面と前記透明板の前記前面とが対向した状態で配置され、前記透明板の前記前面には、前記前面から前方に向かって延び、かつ、先端部に前記出光面が設けられた第１延長部が設けられたことを特徴とする。
【００１０】
また、上記発明において、好ましい態様は、前記透明板の前記前面には、さらに、前記前面から前方に向かって延び、かつ、先端部が前記面発光光源の前記後面に当接した第２延長部が設けられることを特徴とする。
【００１１】
また、上記発明において、好ましい態様は、前記面発光光源は、前記面発光光源の端部の少なくとも一部が前記第１延長部に当接し、かつ、前記面発光光源の前記後面が前記第２延長部の先端部に当接した状態で保持されることを特徴とする。
【００１２】
また、上記発明において、好ましい態様は、前記透明板の前記前面及び前記後面のうち一方には、前記入光面が設けられ、他方には、前記入光面から入光した前記光源からの光を前記透明板の縁部に向けて内面反射する第１反射面が設けられ、前記透明板の縁部には、前記第１反射面からの反射光を前記出光面に向けて内面反射する第２反射面が設けられ、前記第１反射面、前記透明板、前記第２反射面、及び、前記第１延長部が、前記導光部として機能することを特徴とする。
【００１３】
また、上記発明において、好ましい態様は、前記面発光光源は、屈曲した状態で保持されることを特徴とする。
【００１４】
また、上記発明において、好ましい態様は、前記面発光光源は、可撓性を備えることを特徴とする。
【００１５】
また、上記発明において、好ましい態様は、前記面発光光源は、不透明であることを特徴とする。
【００１６】
また、上記発明において、好ましい態様は、前記出光面は、前記面発光光源の外形の少なくとも一部に沿って配置されることを特徴とする。
【００１７】
また、上記発明において、好ましい態様は、前記面発光光源の前記発光面を覆った状態で前記透明部材に保持される付加透明部材をさらに備えることを特徴とする。
【図面の簡単な説明】
【００１８】
【図１】正面側から見た車両用灯具１０の斜視図である。
【図２】（ａ）車両用灯具１０の横断面図、（ｂ）正面図、（ｃ）縦断面図である。
【図３】有機ＥＬパネル２０を保持する保持部の一例である。
【図４】有機ＥＬパネル２０を保持する保持部の他の一例である。
【図５】屈曲した状態で保持された有機ＥＬパネル２０の他の一例である。
【図６】付加透明部材を設けた車両用灯具１０の一例である。
【図７】正面側から見た車両用灯具１０Ａ（変形例）の斜視図である。
【図８】（ａ）車両用灯具１０Ａの上面図、（ｂ）正面図、（ｃ）側面図である。
【図９】左右一対の反射面３８ａ、３８ｂ、上下一対の反射面３８ｃの拡大図である。
【図１０】光源４０を透明板３１の前面３１ａ側に配置した車両用灯具１０Ｂ（変形例）の斜視図である。
【図１１】（ａ）他の透明部材３０Ｃを用いた車両用灯具１０Ｃ（変形例）の正面図、（ｂ）他の透明部材３０Ｄを用いた車両用灯具１０Ｄ（変形例）の正面図である。
【発明を実施するための形態】
【００１９】
以下、本発明の一実施形態である車両用灯具１０について添付図面を参照しながら説明する。各図において対応する構成要素には同一の符号が付され、重複する説明は省略される。
【００２０】
図１は正面側から見た車両用灯具１０の斜視図である。図２（ａ）は車両用灯具１０の横断面図、図２（ｂ）は正面図、図２（ｃ）は縦断面図である。
【００２１】
図１に示す車両用灯具１０は、テールランプ及びストップランプとして機能する標識用ランプ（又は信号用ランプ）であり、車両（図示せず）の後端部の左側及び右側に搭載される。なお、以下、説明の便宜のため、ＸＹＺ軸を定義する。Ｘ軸は車両前後方向に延びており、Ｙ軸は車幅方向に延びており、Ｚ軸は鉛直方向に延びている。
【００２２】
図１、図２に示すように、本実施形態の車両用灯具１０は、有機ＥＬパネル２０、透明部材３０、光源４０等を備える。車両用灯具１０は、図示しないが、アウターレンズとハウジングとによって構成される灯室内に配置され、ハウジング等に取り付けられる。
【００２３】
図２（ｂ）に示すように、車両用灯具１０は、正面視で矩形の発光領域Ａ１及びコ字状の発光領域Ａ２を備える。発光領域Ａ２は、発光領域Ａ１の周囲（図２（ｂ）中上下右の３辺）をコ字状に取り囲んだ状態で配置される。有機ＥＬパネル２０（発光面２２ａ）が発光領域Ａ１を構成し、透明部材３０のコ字状出光面（出光面３５ａ、３５ｂ、３５ｃ）が発光領域Ａ２を構成する。
【００２４】
有機ＥＬパネル２０は、可撓性を備えるフレキシブルタイプの有機ＥＬパネル（面発光光源）である。有機ＥＬパネル２０は、赤色光を発光する発光面２２ａを含む前面とその反対側の後面２２ｂとを含む。有機ＥＬパネル２０（発光面２２ａ）の外形は、例えば、矩形形状である。有機ＥＬパネル２０は、透明部材３０の前方に有機ＥＬパネル２０の後面２２ｂと透明板３１の前面３１ａとが対向した状態で配置される。
【００２５】
有機ＥＬパネル２０の厚みは、例えば、０．１〜２．０ｍｍ程度である。可撓性を備える有機ＥＬパネル２０としては、例えば、特開２０１５−１７０８０６号公報に記載の、全体又は部分的に透明である前面樹脂基板と後面樹脂基板との間に、透明導電膜（例えばＩＴＯ）である陽極層、微反射金属層、有機ＥＬ発光層、及び背面側の導電膜である陰極層が積層された構造の有機ＥＬパネルを用いることができる。
【００２６】
なお、有機ＥＬパネル２０は、透明な有機ＥＬパネルであってもよいし、不透明な有機ＥＬパネルであってもよい。また、有機ＥＬパネルの代わりに無機ＥＬパネル等の面発光光源を利用してもよい。
【００２７】
図２に示すように、透明部材３０（導光部材）は、前面３１ａとその反対側の後面３１ｂとを含む透明板３１を含む。透明板３１の外形は、有機ＥＬパネル２０の外形に対応して矩形形状である。
【００２８】
透明板３１の後面３１ｂの略中央には、入光面３２が設けられる。
【００２９】
入光面３２は、当該入光面３２から透明板３１に入光する光源４０からの光をコリメートする（基準軸ＡＸに対して平行の光線に変換する）面として構成される。なお、基準軸ＡＸは、Ｘ軸方向に延びている。
【００３０】
透明板３１の前面３１ａの略中央、すなわち、入光面３２が対向する部分には、第１反射面３３が設けられる。
【００３１】
第１反射面３３は、入光面３２から透明板３１内に入光した光源４０からの光を透明板３１の縁部（本実施形態では、図２（ｂ）中、上縁部、下縁部、右縁部）に向けて放射状に内面反射（全反射）する面として構成される。
【００３２】
具体的には、第１反射面３３は、角度θ１（図２（ｂ）参照）の範囲に設けられており、当該第１反射面３３に入射する光源４０からの光を角度θ１の範囲に放射状に内面反射する面として構成される。
【００３３】
透明板３１の前面３１ａには、当該前面３１ａの縁部（本実施形態では、図２（ｂ）中、上縁部、下縁部、右縁部）から前方（Ｘ軸方向）に向かって延び、かつ、先端部に出光面３５ａ、３５ｂ、３５ｃが設けられたコ字状延長部３４が設けられる。コ字状延長部３４が本発明の第１延長部に相当する。
【００３４】
具体的には、図２（ｂ）、図２（ｃ）に示すように、透明板３１の前面３１ａの上縁部には、当該上縁部から前方に向かって延び、かつ、先端部に出光面３５ａが設けられた上縁部延長部３４ａが設けられる。
【００３５】
また、図２（ｂ）、図２（ｃ）に示すように、透明板３１の前面３１ａの下縁部には、当該下縁部から前方に向かって延び、かつ、先端部に出光面３５ｂが設けられた下縁部延長部３４ｂが設けられる。
【００３６】
さらに、図２（ａ）、図２（ｂ）に示すように、透明板３１の前面３１ａの右縁部には、当該右縁部から前方に向かって延び、かつ、先端部に出光面３５ｃが設けられた右縁部延長部３４ｃが設けられる。
【００３７】
上縁部延長部３４ａ、下縁部延長部３４ｂ、及び、右縁部延長部３４ｃが、コ字状延長部３４を構成する。
【００３８】
出光面３５ａ、３５ｂ、３５ｃは、有機ＥＬパネル２０の外形（本実施形態では、図２（ｂ）中、有機ＥＬパネル２０上辺、下辺、及び、右辺）に沿って配置される。出光面３５ａ、３５ｂ、３５ｃがコ字状出光面を構成する。
【００３９】
出光面３５ａ、３５ｂ、３５ｃには、当該出光面３５ａ、３５ｂ、３５ｃから出光する光を制御してストップランプの配光規格を満たすように、レンズカットが施される。なお、レンズカットを施さなくてもストップランプの配光規格を満たす場合、レンズカットは、省略してもよい。
【００４０】
透明板３１の後面３１ｂの縁部（本実施形態では、図２（ｃ）中、上縁部、下縁部、図２（ａ）中、右縁部）には、第１反射面３３からの反射光をコ字状出光面（出光面３５ａ、３５ｂ、３５ｃ）に向けて内面反射する第２反射面３６ａ、３６ｂ、３６ｃが設けられる。
【００４１】
具体的には、図２（ｃ）に示すように、透明板３１の後面３１ｂの上縁部には、第１反射面３３からの反射光ＲａｙＡを出光面３５ａに向けて内面反射する第２反射面３６ａが設けられる。第２反射面３６ａは、当該第２反射面３６ａに入射する第１反射面３３からの反射光ＲａｙＡを、基準軸ＡＸに対して平行の光線に変換するために、多重放物面（光源４０又はその近傍を焦点とするＦ値の異なる複数の回転放物面を平面状に配置した面）として構成される。
【００４２】
また、図２（ｃ）に示すように、透明板３１の後面３１ｂの下縁部には、第１反射面３３からの反射光ＲａｙＢを出光面３５ｂに向けて内面反射する第２反射面３６ｂが設けられる。第２反射面３６ｂは、当該第２反射面３６ｂに入射する第１反射面３３からの反射光ＲａｙＢを、基準軸ＡＸに対して平行の光線に変換するために、多重放物面（光源４０又はその近傍を焦点とするＦ値の異なる複数の回転放物面を平面状に配置した面）として構成される。
【００４３】
さらに、図２（ａ）に示すように、透明板３１の後面３１ｂの右縁部には、第１反射面３３からの反射光ＲａｙＣを出光面３５ｃに向けて内面反射する第２反射面３６ｃが設けられる。第２反射面３６ｃは、当該第２反射面３６ｃに入射する第１反射面３３からの反射光ＲａｙＣを、基準軸ＡＸに対して平行の光線に変換するために、多重放物面（光源４０又はその近傍を焦点とするＦ値の異なる複数の回転放物面を平面状に配置した面）として構成される。
【００４４】
第１反射面３３、透明板３１、第２反射面３６ａ、３６ｂ、３６ｃ、及び、コ字状延長部３４（上縁部延長部３４ａ、下縁部延長部３４ｂ、右縁部延長部３４ｃ）が、本発明の導光部に相当する。
【００４５】
図１、図２（ｃ）に示すように、透明板３１の前面３１ａには、当該前面３１ａから前方に向かって延び、かつ、先端部が有機ＥＬパネル２０の後面２２ｂに当接した中間延長部３７（図２（ｃ）中２箇所）が設けられる。中間延長部３７が本発明の第２延長部に相当する。
【００４６】
なお、中間延長部３７は、透明板３１の前面３１ａに限らず、透明板３１内を進行する第１反射面３３からの反射光及びコ字状延長部３４内を進行する第２反射面３６ａ、３６ｂ、３６ｃからの反射光を遮らない部分であれば、どこに設けてもよい。
【００４７】
図３は有機ＥＬパネル２０を保持する保持部の一例、図４は有機ＥＬパネル２０を保持する保持部の他の一例である。
【００４８】
有機ＥＬパネル２０は、当該有機ＥＬパネル２０の端部（本実施形態では、図２（ｂ）中、上端部、下端部）がコ字状延長部３４に当接し、かつ、有機ＥＬパネル２０の後面２２ｂが中間延長部３７の先端部に当接した状態で透明部材３０に保持（固定）される。
【００４９】
具体的には、図３に示すように、有機ＥＬパネル２０は、上縁部延長部３４ａの先端部に設けられた第１押さえ部３４ａ１が有機ＥＬパネル２０の前面（発光面２２ａ）の上縁部に当接し、下縁部延長部３４ｂの先端部に設けられた第２押さえ部３４ｂ１が有機ＥＬパネル２０の前面（発光面２２ａ）の下縁部に当接し、かつ、中間延長部３７の先端部が有機ＥＬパネル２０の後面２２ｂに当接した状態で透明部材３０に保持（固定）される。この場合、主に、第１押さえ部３４ａ１及び第２押さえ部３４ｂ１が保持部５０を構成する。
【００５０】
または、図４に示すように、有機ＥＬパネル２０は、その上端部が上縁部延長部３４ａの先端部に設けられた第１溝部３４ａ２に挿入（例えば、嵌合）されることで当接し、その下端部が下縁部延長部３４ｂに設けられた第２溝部３４ｂ２に挿入（例えば、嵌合）されることで当接し、かつ、その後面２２ｂが中間延長部３７の先端部に当接した状態で透明部材３０に保持（固定）される。この場合、主に、第１溝部３４ａ２及び第２溝部３４ｂ２が保持部５０を構成する。
【００５１】
なお、有機ＥＬパネル２０と透明部材３０とが当接する箇所は、接着剤で接着してもよい。
【００５２】
なお、第１押さえ部３４ａ１及び第２押さえ部３４ｂ１（第１溝部３４ａ２及び第２溝部３４ｂ２も同様）は、透明板３１内を進行する第１反射面３３からの反射光及びコ字状延長部３４内を進行する第２反射面３６ａ、３６ｂ、３６ｃからの反射光を遮らない部分であれば、どこに設けてもよい。
【００５３】
有機ＥＬパネル２０は、中間延長部３７の先端部が有機ＥＬパネル２０の後面２２ｂに当接することで、屈曲した状態で透明部材３０に保持される。
【００５４】
例えば、図３（ｂ）、図４（ｂ）に示すように、中間延長部３７のＸ軸方向の寸法をコ字状延長部３４（上縁部延長部３４ａ、下縁部延長部３４ｂ、右縁部延長部３４ｃ）より長くすることで、有機ＥＬパネル２０は、前方に向かって凸に屈曲した状態で保持される。
【００５５】
図５は、屈曲した状態で保持された有機ＥＬパネル２０の他の一例である。
【００５６】
また、例えば、図５（ａ）、図５（ｂ）に示すように、中間延長部３７のＸ軸方向の寸法をコ字状延長部３４より短くすることで、有機ＥＬパネル２０は、前方に向かって凹に屈曲した状態で保持される。
【００５７】
また、例えば、図５（ｃ）、図５（ｄ）に示すように、一方の中間延長部３７のＸ軸方向の寸法をコ字状延長部３４より短くし、かつ、他方の中間延長部３７のＸ軸方向の寸法をコ字状延長部３４より長くすることで、有機ＥＬパネル２０は、Ｓ字状に屈曲した状態で保持される。
【００５８】
以上のように、有機ＥＬパネル２０は、中間延長部３７のＸ軸方向の寸法を調整することで、様々に屈曲した状態で透明部材３０に保持される。
【００５９】
上記構成の透明部材３０は、例えば、金型を用いてアクリルやポリカーボネイト等の透明樹脂を射出成形することにより成形される。
【００６０】
光源４０は、入光面３２から入光し、第１反射面３３、透明板３１、第２反射面３６ａ、３６ｂ、３６ｃ、及び、コ字状延長部３４（上縁部延長部３４ａ、下縁部延長部３４ｂ、右縁部延長部３４ｃ）によって出光面３５ａ、３５ｂ、３５ｃまで導光され、当該出光面３５ａ、３５ｂ、３５ｃから出光する光（赤色光）を発光するＬＥＤやＬＤ等の半導体発光素子である。光源４０は、基板Ｋに実装されており、当該光源４０（発光面）と入光面３２とが対向した状態で、ハウジング等に固定される。
【００６１】
上記構成の車両用灯具１０においては、光源４０を点灯すると、光源４０からの光（赤色光）は、透明部材３０の入光面３２から入光し、第１反射面３３で透明板３１の上縁部、下縁部、右縁部に向けて放射状に内面反射され、さらに、第２反射面３６ａ、３６ｂ、３６ｃで出光面３５ａ、３５ｂ、３５ｃに向けて内面反射されることで、コ字状出光面（出光面３５ａ、３５ｂ、３５ｃ）から出光して前方に照射される。これにより、ストップランプが実現される。
【００６２】
一方、有機ＥＬパネル２０を発光させると、有機ＥＬパネル２０（発光面２２ａ）からの光（赤色光）が前方に照射される。これにより、テールランプが実現される。
【００６３】
以上説明したように、本実施形態によれば、有機ＥＬパネル２０と、当該有機ＥＬパネル２０を保持する透明部材３０（保持部材）と、を備えた車両用灯具１０において、別のランプ機能を実現するための光を出射する構成を別途追加することなく、複数のランプ（本実施形態では、テールランプ及びストップランプ）機能を実現することができる。
【００６４】
これは、透明部材３０が、有機ＥＬパネル２０を保持する保持部５０（例えば、図３に示す第１押さえ部３４ａ１及び第２押さえ部３４ｂ１）と、別のランプ機能を実現するための構成（主に、出光面３５ａ、３５ｂ、３５ｃ）と、を兼ね備えていることによるものである。
【００６５】
また、本実施形態によれば、有機ＥＬパネル２０を、屈曲した状態で透明部材３０に保持することができる。
【００６６】
これは、第１に、有機ＥＬパネル２０が可撓性を備えること、第２に、有機ＥＬパネル２０の端部（本実施形態では、図２（ｂ）中、上端部、下端部）がコ字状延長部３４（本実施形態では、上縁部延長部３４ａ、下縁部延長部３４ｂ）に当接し、かつ、中間延長部３７の先端部が有機ＥＬパネル２０の後面２２ｂに当接していることによるものである。
【００６７】
また、本実施形態によれば、光源４０、入光面３２、及び、中間延長部３７等は、有機ＥＬパネル２０の後面２２ｂ側に配置されており、有機ＥＬパネル２０で覆い隠された状態となるため、正面から光源４０、入光面３２、及び、中間延長部３７等が視認されるのを防止することができる（特に、有機ＥＬパネル２０として、不透明な有機ＥＬパネルを用いた場合）。
【００６８】
次に、変形例について説明する。
【００６９】
図６は、付加透明部材４２を設けた車両用灯具１０の一例である。
【００７０】
図６に示すように、有機ＥＬパネル２０の発光面２２ａを覆った状態で透明部材３０に保持される付加透明部材４２を設けてもよい。これにより、有機ＥＬパネル２０の非点灯時・点灯時の見栄えを向上させることができる。なお、付加透明部材４２は、接着剤等によって透明部材３０に保持される。
【００７１】
付加透明部材４２の肉厚は、図６（ｂ）に示すように、均一であってもよいし、図６（ｃ）、図６（ｄ）に示すように、不均一であってもよい。また、付加透明部材４２の前面（又は後面）の一部又は全部にシボ加工を施してもよい。さらに、図６（ｅ）に示すように、付加透明部材４２の前面（又は後面）の一部を遮光性のある部材４４（塗料等）で覆うことで、任意の発光形状を形成してもよい。
【００７２】
また、図示しないが、有機ＥＬパネル２０（発光面２２ａ）の前方に設けた第１付加透明部材と有機ＥＬパネル２０（後面２２ｂ）の後方に設けた第２付加透明部材とで有機ＥＬパネル２０を挟み込むことで当該有機ＥＬパネル２０を保持してもよい。
【００７３】
図７、図８は、３つの延長部３４ａ、３４ｂ、３４ｃに対応して３つの光源４０ａ、４０ｂ、４０ｃを用いた車両用灯具１０Ａの一例（変形例）である。
【００７４】
図７は、正面側から見た車両用灯具１０Ａ（変形例）の斜視図である。図８（ａ）は車両用灯具１０Ａの上面図、図８（ｂ）は正面図、図８（ｃ）は側面図である。
【００７５】
図７、図８に示すように、透明板３１の後面３１ｂの上縁部の略中央には、入光面３２ａが設けられる。そして、その前方には、第１反射面３３ａが設けられる。
【００７６】
第１反射面３３ａは、入光面３２ａから透明板３１内に入光した光源４０ａからの光を透明板３１の縁部（本変形例では、図８（ａ）中、左縁部、右縁部）に向けて内面反射（全反射）する面として構成される。
【００７７】
また、透明板３１の後面３１ｂの上縁部のうち、入光面３２ａの両側には、それぞれ、第１反射面３３ａからの反射光を出光面３５ａに向けて内面反射する左右一対の反射面３８ａが設けられる。
【００７８】
図９に示すように、左右一対の反射面３８ａは、第１反射面３３ａからの反射光を出光面３５ａに向けて内面反射するために、基準軸ＡＸに対して４５度傾斜した複数の個別反射面３９を含む。
【００７９】
同様に、透明板３１の後面３１ｂの下縁部の略中央には、入光面３２ｂが設けられる。そして、その前方には、第１反射面３３ｂが設けられる。
【００８０】
第１反射面３３ｂは、入光面３２ｂから透明板３１内に入光した光源４０ｂからの光を透明板３１の縁部（本変形例では、図８（ａ）中、左縁部、右縁部）に向けて内面反射（全反射）する面として構成される。
【００８１】
また、透明板３１の後面３１ｂの下縁部のうち、入光面３２ｂの両側には、それぞれ、第１反射面３３ｂからの反射光を出光面３５ｂに向けて内面反射する左右一対の反射面３８ｂが設けられる。
【００８２】
図９に示すように、左右一対の反射面３８ｂは、第１反射面３３ｂからの反射光を出光面３５ｂに向けて内面反射するために、基準軸ＡＸに対して４５度傾斜した複数の個別反射面３９を含む。
【００８３】
同様に、透明板３１の後面３１ｂの右縁部の略中央には、入光面３２ｃが設けられる。そして、その前方には、第１反射面３３ｃが設けられる。
【００８４】
第１反射面３３ｃは、入光面３２ｃから透明板３１内に入光した光源４０ｃからの光を透明板３１の縁部（本変形例では、図８（ｂ）中、上縁部、下縁部）に向けて内面反射（全反射）する面として構成される。
【００８５】
また、透明板３１の後面３１ｂの右縁部のうち、入光面３２ｃの両側には、それぞれ、第１反射面３３ｃからの反射光を出光面３５ｃに向けて内面反射する上下一対の反射面３８ｃが設けられる。
【００８６】
図９に示すように、上下一対の反射面３８ｃは、第１反射面３３ｃからの反射光を出光面３５ｃに向けて内面反射するために、基準軸ＡＸに対して４５度傾斜した複数の個別反射面３９を含む。
【００８７】
上記構成の車両用灯具１０Ａにおいては、光源４０ａ、４０ｂ、４０ｃを点灯すると、各々の光源４０ａ、４０ｂ、４０ｃからの光（赤色光）は、透明部材３０の入光面３２ａ、３２ｂ、３２ｃから入光し、第１反射面３３ａ、３３ｂ、３３ｃで透明板３１の上縁部、下縁部、右縁部、左縁部に向けて内面反射され、さらに、左右一対の反射面３８ａ、３８ｂ（すなわち、複数の個別反射面３９）、上下一対の反射面３８ｃ（すなわち、複数の個別反射面３９）で出光面３５ａ、３５ｂ、３５ｃに向けて内面反射されることで、コ字状出光面（出光面３５ａ、３５ｂ、３５ｃ）から出光して前方に照射される。これにより、ストップランプが実現される。
【００８８】
本変形例によれば、上記実施形態と比べ、出光面３５ａ、３５ｂ、３５ｃからより強い光を出光させることができる。
【００８９】
図１０は、光源４０を透明板３１の前面３１ａ側に配置した車両用灯具１０Ｂ（変形例）の斜視図である。
【００９０】
上記実施形態では、図２に示すように、透明板３１の後面３１ｂに入光面３２を設け、透明板３１の前面３１ａに第１反射面３３を設け、かつ、光源４０（発光面）と入光面３２とが対向した状態で、光源４０をハウジング等に固定した例について説明したが、これに限らない。
【００９１】
例えば、図１０に示すように、透明板３１の前面３１ａに入光面３２を設け、透明板３１の後面３１ｂに第１反射面３３を設け、かつ、光源４０（発光面）と入光面３２とが対向した状態で、光源４０（基板Ｋ）を透明部材３０に固定してもよい。このようにすれば、光源４０を透明板３１の後面３１ｂ側に配置する上記実施形態と比べ、車両用灯具１０ＢのＸ軸方向の寸法を短くすることができる。
【００９２】
なお、図１０に示すように、有機ＥＬパネル２０に電力を供給するための給電ケーブルＣは、透明部材３０のうち、上縁部延長部３４ａ、下縁部延長部３４ｂ、右縁部延長部３４ｃで囲まれていない側面から引き出される。
【００９３】
また、上記実施形態では、本発明の車両用灯具をテールランプ及びストップランプとして機能する標識用ランプ（又は信号用ランプ）に適用した例について説明したが、これに限らない。例えば、テールランプ及びターンランプとして機能する標識用ランプ（又は信号用ランプ）やそれ以外の車両用灯具にも本発明の車両用灯具を適用してもよい。
【００９４】
また、上記実施形態では、有機ＥＬパネル２０として、可撓性を備えるフレキシブルタイプの有機ＥＬパネルを用いた例について説明したが、これに限らない。例えば、有機ＥＬパネル２０として、図示しないが、発光面を含む前面とその反対側の後面と少なくとも前記前面を覆うガラス板とを含むガラス基板タイプの有機ＥＬパネルを用いてもよい。なお、可撓性の無い(又はほとんど無い)ガラス基板タイプの有機ＥＬパネルを用いる場合、中間延長部３７は、省略してもよい。
【００９５】
なお、ガラス基板タイプの有機ＥＬパネルは、図３〜図５に示すように、屈曲していてもよいし、図示しないが、平面形状であってもよい。
【００９６】
また、上記実施形態では、有機ＥＬパネル２０を保持する保持部５０として、第１押さえ部３４ａ１及び第２押さえ部３４ｂ１（図３参照）、並びに、第１溝部３４ａ２及び第２溝部３４ｂ２（図４参照）を用いた例について説明したが、これに限らない。例えば、保持部５０として、ネジや接着剤等の公知の手段を用いてもよい。
【００９７】
また、上記実施形態では、光源４０として、ＬＥＤやＬＤ等の半導体発光素子を用いた例について説明したが、これに限らず、バルブ光源等の他の光源を用いてもよい。
【００９８】
また、上記実施形態では、中間延長部３７を２つ用いた例について説明したが、これに限らず、１又は３以上の中間延長部３７を用いてもよい。
【００９９】
図１１（ａ）は他の透明部材３０Ｃを用いた車両用灯具１０Ｃ（変形例）の正面図、図１１（ｂ）は他の透明部材３０Ｄを用いた車両用灯具１０Ｄ（変形例）の正面図である。
【０１００】
上記実施形態では、コ字状延長部３４（上縁部延長部３４ａ、下縁部延長部３４ｂ、右縁部延長部３４ｃ）を用いた例について説明したが、これに限らない。例えば、図１１（ａ）に示すように、さらに、右縁部延長部３４ｃと同様の左縁部延長部３４ｄが追加されたロ字状延長部３４Ｃを用いてもよい。
【０１０１】
この場合、第１反射面３３を図１１（ａ）中の角度θ２の範囲に設け、かつ、透明板３１の後面３１ｂの左縁部に、第１反射面３３からの反射光を出光面３５ｄに向けて内面反射する第２反射面（図示せず）を設けることで、ロ字状出光面（出光面３５ａ、３５ｂ、３５ｃ、３５ｄ）から光源４０からの光を出光させることができる。これによっても、ストップランプが実現される。
【０１０２】
また、例えば、上縁部延長部３４ａ、下縁部延長部３４ｂ、右縁部延長部３４ｃ、左縁部延長部３４ｄのうち少なくとも一つを省略してもよい。
【０１０３】
また、上記実施形態では、外形が矩形形状の有機ＥＬパネル２０、透明板３１、及び、コ字状延長部３４を用いた例について説明したが、これに限らない。例えば、図１１（ｂ）に示すように、外形が円又は楕円形状の有機ＥＬパネル２０、透明板３１（図１１（ｂ）中省略）、及び、環状延長部３４Ｄを用いてもよい。
【０１０４】
この場合、第１反射面３３を図１１（ｂ）中の角度θ３の範囲に設け、かつ、透明板３１の後面３１ｂの周縁部に、第１反射面３３からの反射光を環状出光面３５ｅに向けて内面反射する環状反射面（図示せず）を設けることで、環状出光面３５ｅから光源４０からの光を出光させることができる。これによっても、ストップランプが実現される。
【０１０５】
また、上記実施形態では、有機ＥＬパネル２０を屈曲した状態で透明部材３０に保持する例について説明したが、これに限らない。例えば、図示しないが、中間延長部３７とコ字状延長部３４（上縁部延長部３４ａ、下縁部延長部３４ｂ、右縁部延長部３４ｃ）とを同じ（又は略同じ）長さにすることで、有機ＥＬパネル２０を、屈曲した状態ではなく、平面形状の状態で保持することができる。
【０１０６】
上記各実施形態で示した各数値は全て例示であり、これと異なる適宜の数値を用いることができるのは無論である。
【０１０７】
上記各実施形態はあらゆる点で単なる例示にすぎない。上記各実施形態の記載によって本発明は限定的に解釈されるものではない。本発明はその精神または主要な特徴から逸脱することなく他の様々な形で実施することができる。
【符号の説明】
【０１０８】
１０、１０Ａ〜１０Ｄ…車両用灯具、２０…有機ＥＬパネル、２２ａ…発光面、２２ｂ…後面、３０、３０Ｃ、３０Ｄ…透明部材、３１…透明板、３１ａ…前面、３１ｂ…後面、３２、３２ａ〜３２ｃ…入光面、３３、３３ａ〜３３ｃ…第１反射面、３４…コ字状延長部、３４Ｃ…ロ字状延長部、３４Ｄ…環状延長部、３４ａ…上縁部延長部、３４ａ１…第１押さえ部、３４ａ２…第１溝部、３４ｂ…下縁部延長部、３４ｂ１…第２押さえ部、３４ｂ２…第２溝部、３４ｃ…右縁部延長部、３４ｄ…左縁部延長部、３５ａ〜３５ｄ…出光面、３５ｅ…環状出光面、３６ａ〜３６ｃ…第２反射面、３７…中間延長部、３８ａ〜３８ｃ…反射面、３９…個別反射面、４０、４０ａ〜４０ｃ…光源、４２…付加透明部材、５０…保持部、Ａ１、Ａ２…発光領域、ＡＸ…基準軸
【図１】
2018106834.tif 000003
【図２】
2018106834.tif 000004
【図３】
2018106834.tif 000005
【図４】
2018106834.tif 000006
【図５】
2018106834.tif 000007
【図６】
2018106834.tif 000008
【図７】
2018106834.tif 000009
【図８】
2018106834.tif 000010
【図９】
2018106834.tif 000011
【図１０】
2018106834.tif 000012
【図１１】
2018106834.tif 000013